(57)【要約】【課題】新築又は既存の何れの集合住宅等にも設置が容易であり、メンテナンス等の作業性が良く、ルームエアコンの運転負荷を低減できる外気調和機及び換気システムを提供する。【解決手段】外気調和機１は、フィンチューブ式の熱交換器２と、これを格納する筐体３を備える。筐体３は、機体の背面側となる基体３０と機体の前面側となるカバー体３５からなり、基体３０とカバー体３５は分割可能かつ着脱可能な構造である。基体３０は、ベース部３１、区画部２５、接続管部３１４、熱交換器保持構造部３２、水受け部３３を有する。カバー体３５は、正面壁部３６と三方の周壁部３７が一体になった構造で、周壁部３７が形成されていない部分が外気Ａ１の導入口３８を構成しており、各壁部が外面板３５１、内面板３５２、内面板と外面板の間に配設した断熱材３５３からなる構造である。【選択図】図２
2019190676.tif 000002
【特許請求の範囲】
【請求項１】
機外にある空気調和機の熱媒体回路に組み込み可能なフィンチューブ式の熱交換器と、
該熱交換器を格納し、所定位置に導出口が形成されたベース部、該ベース部と対向配置され、第１の断熱構造部を含む正面壁部、該正面壁部と前記ベース部の間に設けられると共に、前記導出口から遠位となる位置に外気を導入可能な導入口が形成され、第２の断熱構造部を含む周壁部、前記熱交換器のフィンの長手方向と前記導入口から前記導出口に向かう方向とが略一致する態様で同熱交換器が取り付けられると共に、前記正面壁部、前記ベース部および前記周壁部の各内面と同熱交換器との間に所定間隔が空くように保持する熱交換器保持構造部、および前記熱交換器と前記導入口の間に配設された水受け部を有する筐体とを備える
外気調和機。
【請求項２】
前記熱交換器と前記ベース部の間に設けられて内外を区画する枠状の区画部を有し、該区画部の枠内の領域に前記導出口が位置すると共に、所定広さの空間が形成されている
請求項１に記載の外気調和機。
【請求項３】
前記筐体が、前記ベース部、前記熱交換器保持構造部および前記水受け部が配置された基体と、前記正面壁部、前記周壁部および前記各断熱構造部が配置されたカバー体とに分割可能な構造で、前記基体と前記カバー体とが着脱可能に構成されている
請求項１または請求項２に記載の外気調和機。
【請求項４】
前記第１の断熱構造部を含む前記正面壁部および前記第２の断熱構造部を含む前記周壁部が、外面板、該外面板との間に空隙が生じるように所定間隔を空けて配置され、熱反射可能な内面板、および、前記空隙内において前記外面板との間に所定間隔の隙間である断熱領域が形成されるように配設された断熱材を有する構造である
請求項１、請求項２または請求項３に記載の外気調和機。
【請求項５】
前記ベース部の外面に、前記導出口の口縁に沿って形成された筒状の接続管部を有する
請求項１、請求項２、請求項３または請求項４に記載の外気調和機。
【請求項６】
前記水受け部が、前記ベース部に設けられた水受け支持部、該水受け支持部に着脱可能に支持され、前記熱交換器に向けて開口すると共に、該開口領域が対向する同熱交換器の端面と同じ広さであるか、または、該端面よりも広く設けられ、底方向に向かうにつれて幅が徐々に窄まる形状のドレンパン、該ドレンパン内の溜まり水を機外に排水可能な排水経路、および、該ドレンパン外面に配設されたドレンパン用断熱材を有する構造である
請求項１、請求項２、請求項３、請求項４または請求項５に記載の外気調和機。
【請求項７】
前記筐体は、少なくとも前記導入口を覆うようにフィルタ部材が取り付けられている
請求項１、請求項２、請求項３、請求項４、請求項５または請求項６に記載の外気調和機。
【請求項８】
前記筐体は、前記正面壁部が前記ベース部と反対方向に膨出する形状に設けられている
請求項１、請求項２、請求項３、請求項４、請求項５、請求項６または請求項７に記載の外気調和機。
【請求項９】
換気口が形成され、該換気口と室内空間を接続する導入経路を有する建物の外壁と、
機外にある空気調和機の熱媒体回路に組み込まれたフィンチューブ式の熱交換器、および、該熱交換器を格納し、前記換気口と連通する導出口が形成されると共に、前記外壁の屋外側に取り付けられたベース部、該ベース部と対向配置され、第１の断熱構造部を含む正面壁部、該正面壁部と前記ベース部の間に設けられると共に、前記導出口から遠位となる位置に外気を導入可能な導入口が形成され、第２の断熱構造部を含む周壁部、前記熱交換器のフィンの長手方向と前記導入口から前記導出口に向かう方向とが略一致する態様で同熱交換器が取り付けられると共に、前記正面壁部、前記ベース部および前記周壁部の各内面と同熱交換器との間に所定間隔が空くように保持する熱交換器保持構造部、および前記熱交換器と前記導入口の間に配設された水受け部を含む筐体を有する外気調和機とを備える
換気システム。
【請求項１０】
前記建物の室内を空調する室内機、同建物の外に設置される室外機、および該室外機と前記室内機の接続配管である熱媒体回路を有し、前記外気調和機と連動するルームエアコンを備える
請求項９に記載の換気システム。
【発明の詳細な説明】
【技術分野】
【０００１】
本発明は、外気調和機および換気システムに関する。更に詳しくは、集合住宅や一般住宅（以下、合わせて「集合住宅等」という）に設置できる外気調和機および換気システムであって、新築または既存のいずれの集合住宅等に対しても設置が容易であると共に、清掃やメンテナンス（以下「メンテナンス等」という）の作業性が良く、室内側に室内機が設置された空気調和機（以下「ルームエアコン」という）の運転負荷を低減することができるものに関する。
【背景技術】
【０００２】
従来から、室内に外気を導入するにあたり、導入経路の途中に、導入される外気と室内空気の温度差を小さくするための外気調和機を設けた設備がある。このような設備としては、例えば、下記の特許文献１に示されているような空調設備が提案されており、この設備について図１５に示している。
【０００３】
図１５に示す空調設備９は、室外に設置されて外気ＯＡを処理する外気調和機９１と、当該外気調和機９１を介して室内Ｒへ供給された空気ＲＡを回収する還気取り入れ口９２の近傍に設置された顕熱交換器９３を有するものである。ここで、顕熱交換器９３は、回収した空気ＲＡと熱交換し、熱交換後の空気ＳＡを給気口から室内Ｒへ給気するものであり、そして、外気調和機９１は、冷却コイル９１１、加熱コイル９１２、加湿器９１３および送風機９１４を含むものであり、導入した外気ＯＡを温調および加湿して室内Ｒ側に送るものである。
【先行技術文献】
【特許文献】
【０００４】
【特許文献１】特許第４２９４７８４号公報
【発明の概要】
【発明が解決しようとする課題】
【０００５】
ところで、前述の空調設備９における外気調和機９１は、機体が邪魔にならないように、一般的に天井裏（天井側の室外）に設置されている（特許文献１の段落〔００１９〕、図２参照）ことが多く、このような場合、メンテナンス等が行いにくい。
【０００６】
また、近年、一般住宅にも２４時間換気システムの設置が義務づけられているが、特にマンション等の集合住宅では、床下あるいは天井のスペースの問題で空調設備９のような大掛かりな装置の戸別設置は難しい。更に、既設の住宅に、後から空調設備９のような大掛かりな装置を設置することも難しい。
【０００７】
ところで、集合住宅等における換気手段として、例えば、ベランダ等の外壁に換気穴を設け、換気穴を虫等の侵入を防ぐ蓋で塞いだような簡易的な換気ユニット等が多くみられる。しかしながら、このような換気手段では、外気がそのままの温度で室内に導入されるため、室内の空調を行うべくルームエアコンを運転すると、立ち上がり時におけるルームエアコンの運転負荷が大きなものとなっていた。
【０００８】
本発明は、以上の点を鑑みて創案されたものであり、従来のものと比較して、新築または既存のいずれの集合住宅等に対しても設置が容易であると共に、メンテナンス等の作業性が良く、ルームエアコンの運転負荷を低減することができる、外気調和機および換気システムを提供することを目的とするものである。
【課題を解決するための手段】
【０００９】
上記の目的を達成するために本発明の外気調和機は、機外にある空気調和機の熱媒体回路に組み込み可能なフィンチューブ式の熱交換器と、熱交換器を格納し、所定位置に導出口が形成されたベース部、ベース部と対向配置され、第１の断熱構造部を含む正面壁部、正面壁部とベース部の間に設けられると共に、導出口から遠位となる位置に外気を導入可能な導入口が形成され、第２の断熱構造部を含む周壁部、熱交換器のフィンの長手方向と導入口から導出口に向かう方向とが略一致する態様で熱交換器が取り付けられると共に、正面壁部、ベース部および周壁部の各内面と熱交換器との間に所定間隔が空くように保持する熱交換器保持構造部、および、熱交換器と導入口の間に配設された水受け部を有する筐体とを備える。
【００１０】
ここで、本発明の外気調和機は、ルームエアコンの熱媒体（例えば、フロンガスや代替ガス等の冷媒、温水または冷水、加熱または冷却用のガス等が含まれる。以下同じ）回路に熱交換器を組み込むことができる。そして、ルームエアコンの熱媒体回路に組み込まれた熱交換器は、ルームエアコンの運転と連動して供給される熱媒体によって、導入された外気との間で熱交換して加熱あるいは冷却し、熱交換後の空気をルームエアコンの運転目的（暖房または冷房）に応じた温度に調和（以下「温調」という）することができる（温調された空気を以下「調和空気」という）。
【００１１】
この熱交換器による熱交換は、ルームエアコンから供給される熱媒体を利用するものであって、ルームエアコンの運転と連動するので、ルームエアコンの室内機が設置された領域（室内）は、供給される調和空気によって、ルームエアコンの目的温度との温度差が小さくなる。この結果、設定した目的温度に達する迄のルームエアコンの稼動時間（以下「ルームエアコンの立ち上がり時間」という）が短くて済むので、ルームエアコンの運転負荷を低減することができる。
【００１２】
更に、前述したように、熱交換器は、ルームエアコンの運転と連動するものであるため、それ自体は電力を使用しない構造であり、このような構造および前述のルームエアコンの立ち上がり時間の短縮によって、省エネルギーに貢献することができる。
【００１３】
加えて、本発明の外気調和機は、熱交換器が、小型軽量で熱交換効率の良いフィンチューブ式であるため、外気調和機の機体全体を小型軽量化することができる。この結果、例えば、建物の壁面に設置した際に、壁面に加わる負荷を少なくすることができる。
【００１４】
そして、本発明の外気調和機は、筐体がベース部を有することにより、設置対象（例えば、建物の壁面）に取り付けることができる。そして、ベース部が導出口を有することにより、調和空気を外部へ導出することができる。また、導出口は、設置対象に設けられた換気口と位置合わせすることで、連通させることができる。なお、導出口が形成される。なお、「所定位置」とは、例えば、設置状態においてベース部の上側となる位置が挙げられるが、これに限定するものではない。
【００１５】
更に、本発明の外気調和機は、筐体が正面壁部と周壁部を有することにより、これらの中に熱交換器等が囲まれる（格納される）ので、熱交換器等を外力による変形や汚れの付着から保護することができ、また、耐候性が向上し、製品寿命の延長化を図ることができる。そして、正面壁部と周壁部で機体の内外が区切られるので、調和空気が熱交換前の機外の空気と混じったり、調和空気が機外へ拡散したりしないようにすることができる。
【００１６】
更にまた、周壁部に導入口を有することにより、導入口から外気を導入することができる。また、導入口が導出口から遠位となる位置に形成されているので、導入口から入った外気が、ほとんど熱交換されずに導出口から直接出ることを抑制することができる。
【００１７】
そして、本発明の外気調和機は、筐体に第１の断熱構造部および第２の断熱構造部を有することによって、外気の熱交換時における機外からの熱による影響を低減することができる。例えば、外気調和機を屋外に設置した際に、夏期に当たる直射日光で正面壁部等の外表面が高温になったり、あるいは、冬期に当たる風雪等で正面壁部等の外表面が低温になったりしたとしても、これらの熱が機内（例えば、正面壁部等の内表面）に直接伝わらないか、または、伝わりにくいようにすることができる。これによって、調和空気が機外の環境に起因する熱の影響を受けることを抑制することができる。
【００１８】
更に、本発明の外気調和機は、熱交換器保持構造部を有することによって、熱交換器が正面壁部、ベース部および周壁部の各内面に接触しないように保持し、正面壁部等からの熱移動が熱交換器に直接及ばないか、または及びにくいようにすることができる。また、保持された熱交換器のフィンの長手方向と導入口から導出口に向かう方向とが略一致しているため、導入口から入った外気がフィンの長手方向に沿って流れ、導出口から出ることになる。この結果、外気とフィンが触れる時間が長くなって、熱交換効率を向上させることができる。
【００１９】
更にまた、本発明の外気調和機は、水受け部を有することによって、冷房運転時に熱交換器から生じる結露水を受けることができるようにしてある。例えば、導入口が下方を向く状態で外気調和機を設置することで、熱交換器の位置は導入口よりも上方向となり、熱交換器で生じて滴下する結露水は、導入口との間にある水受け部で受けることができる。これによって、結露水が導入口の下方へ直接滴下せず、結露水で外気調和機の下方が汚れることを抑制することができる。また、導入口が下方を向く状態で外気調和機を設置した場合、熱交換器のフィンの長手方向の延長上に水受け部があるので、フィンの表面に生じた結露はフィンに沿って滴下するので、効率よく結露水を集めることができる。
【００２０】
加えて、水受け部が熱交換器と導入口の間に位置しているので、例えば、強風を伴う雨天時に、導入口から外気と共に巻き込まれた雨水が水受け部に当たって弾かれ、熱交換器に直接付着しにくいようにすることができる。
【００２１】
また、熱交換器とベース部の間に設けられて内外を区画する枠状の区画部を有し、区画部の枠内の領域に導出口が位置すると共に、所定広さの空間が形成されている場合は、前述の区画部によって、機内に入った外気が熱交換器を通らずにそのまま排気口に至ることはなく、即ち、機内に入った外気のほぼ全量を熱交換器に通過させることができる。
【００２２】
そして、前述の区画部は、筐体内を更に内外に区画するので、調和空気（熱交換後の空気）が筐体内に拡散しないようにすることができ、これによって、調和空気のほぼ全量が導出口を通過することができる。このため、例えば、調和空気は、導出口と連通した換気口を経て室内に供給され、この結果、筐体内での熱損失量が低下すると共に、室内に供給される調和空気の量が増える。これにより、室内温度とルームエアコンの設定温度の差が小さくなる時間が短縮され、ルームエアコンの立ち上がり時間も短縮することができるので、ルームエアコンの運転負荷軽減の効果を更に高めることができる。
【００２３】
また、筐体が、ベース部、熱交換器保持構造部および水受け部が配置された基体と、正面壁部、周壁部および断熱構造部が配置されたカバー体とに分割可能な構造で、基体とカバー体とが着脱可能に構成されている場合は、基体とカバー体とが分割できることによって、最初に基体を壁面に設置し、次にカバー体を取り付けるだけで済むので、設置時の作業性が良い。
【００２４】
そして、設置後は、基体とカバー体とが着脱できることによって、カバー体を取り外すだけ（基体は壁面に取り付けた状態のまま）で、熱交換器や水受け部の清掃等の分解メンテナンスを行いやすい。つまり、従来の外気調和機と比較して、メンテナンス等における作業性が向上している。なお、カバー体には正面壁部、周壁部および断熱構造部しか配置されていない構造で、比較的軽量にすることができることによって、取り外す際の肉体的負担を軽減することができる。
【００２５】
一方、基体は、ベース部等が配置され、更に熱交換器保持構造部に熱交換器が取り付けられる構成であるため比較的重量が重いが、メンテナンスの際に取り外しが不要で、カバー体を外すだけで作業が開始できると共に、メンテナンスを要する部分が集中配置されているため、作業時間を短縮でき、作業者の負担を軽減することができる。
【００２６】
また、第１の断熱構造部を含む正面壁部および第２の断熱構造部を含む周壁部が、外面板、外面板との間に空隙が生じるように所定間隔を空けて配置され、熱反射可能な内面板、および、空隙内において外面板との間に所定間隔の隙間である断熱領域が形成されるように配設された断熱材を有する構造である場合は、筐体の断熱性能を更に向上させることができる。
【００２７】
通常、直射日光が当たる外面板（特に金属板）は高温になり、断熱材を直接貼設等すると熱による劣化が起きやすい。しかしながら、本発明では、外面板と断熱材の間の空気層が断熱領域となって断熱効果を発揮し、かつ、外面板に断熱材を直接貼設等されていないため、外面板からの直接伝熱による劣化を起きにくくすることができる。また、内面板が熱反射するので、熱交換器から放射された熱が正面壁部および周壁部に伝熱せずに反射し、熱交換器を通過する前の筐体内の空気へ熱が移動するので、熱交換の効率を更に向上させることができる。
【００２８】
そして、断熱材は、外面板と内面板で覆われていることにより、日光や風雨に直接曝露されることによる劣化、および、機内に生じる結露の付着等による劣化を抑制すると共に、表面にカビが発生することも抑制することができる。これにより、室内に導入される調和空気が、断熱材に付着したカビや埃等によって汚染されない。
【００２９】
また、ベース部の外面に、導出口の口縁に沿って形成された筒状の接続管部を有する場合は、設置対象（例えば、換気口が設けられた建物の壁面）への取り付けの際に、接続管部を換気口等に嵌着させるだけで位置決めができるため、施工作業の効率を高めることができる。そして、接続管部は、換気口等に嵌着させることで、取り付け後の壁面に加わる重力方向への荷重の一部を支えることができるので、取り付けた壁面に加わる負荷を軽減することができる。なお、換気口のサイズは規格で決まっているため、接続管部も規格に応じた数タイプを準備すれば足りる。
【００３０】
また、水受け部が、ベース部に設けられた水受け支持部、水受け支持部に着脱可能に支持され、熱交換器に向けて開口すると共に、開口領域が対向する熱交換器の端面と同じ広さであるか、または、該端面よりも広く設けられ、底方向に向かうにつれて幅が徐々に窄まる形状のドレンパン、ドレンパン内の溜まり水を機外に排水可能な排水経路、および、ドレンパン外面に配設されたドレンパン用断熱材を有する構造である場合は、水受け部に溜まった結露水が排水経路を介して機外に自然排出されるため、機内を衛生的に保つことができると共に、排水のみを目的とした短期間でのメンテナンスが不要になる。
【００３１】
前述の水受け支持部を有することにより、ドレンパンを支持して水受け部を構成することができる。また、例えば、基体とカバー体とが分割可能な構造の場合、水受け支持部がベース部に設けられていることで、カバー体の重量を軽減することができ、設置時やメンテナンス時にカバー体を着脱する際の作業負担を軽減することができる。
【００３２】
ところで、仮に、矩形箱状で広く平坦な底面を有するドレンパンを本願発明に適用した場合、この底面に導入口から入った外気が当たって乱流が生じる等して、外気の円滑な流れが阻害されることがある。しかしながら、本発明で使用するドレンパンは、底方向に向かうにつれて幅が徐々に窄まる形状であるため、底面に当たる外気を分流し、導入口から熱交換器に至る外気がドレンパンの外表面を円滑に流れるようにすることができる。
【００３３】
更に、ドレンパンは、その外面にドレンパン用断熱材が配設されていることによって、ドレンパンの外表面に結露が生じることを防止することができ、機内および機外を結露水で汚したり、垂れた結露水によって機体下方の周辺を汚したりしにくくすることができる。
【００３４】
また、筐体は、少なくとも導入口を覆うようにフィルタ部材が取り付けられている場合は、フィルタ部材によって、小鳥や虫の侵入、ゴミが入って来ることを防止することができる。なお、フィルタ部材にＨＥＰＡフィルタのような高性能フィルタを使用することで、花粉やＰＭ２．５のような粉塵等の室内への進入も防止することができる。
【００３５】
また、筐体は、正面壁部がベース部と反対方向に膨出する形状に設けられている場合は、当該形状の採用により、正面壁部が平坦面のみにより構成されている場合と比較して、外部から加わる応力に対する強度を向上させることができる。そして、例えば、屋外に設置した場合には、風雨を逸らして正面壁部に加わる負荷を軽減することができる。
【００３６】
更に、正面壁部が平坦面のみにより構成されている場合と比較して、熱交換器と正面壁部の内面側との間の間隔を広く取ることができるので、仮に屋外に設置した場合に、直射日光等により正面壁部等が熱を持ったとしても、熱の影響が熱交換器に及ばないか、あるいは及びにくいようにすることができる。
【００３７】
上記の目的を達成するために本発明の換気システムは、換気口が形成され、換気口と室内空間を接続する導入経路を有する建物の外壁と、機外にある空気調和機の熱媒体回路に組み込まれたフィンチューブ式の熱交換器、および、熱交換器を格納し、換気口と連通する導出口が形成されると共に、外壁の屋外側に取り付けられたベース部、ベース部と対向配置され、第１の断熱構造部を含む正面壁部、正面壁部とベース部の間に設けられると共に、導出口から遠位となる位置に外気を導入可能な導入口が形成され、第２の断熱構造部を含む周壁部、熱交換器のフィンの長手方向と導入口から導出口に向かう方向とが略一致する態様で熱交換器が取り付けられると共に、正面壁部、ベース部および周壁部の各内面と熱交換器との間に所定間隔が空くように保持する熱交換器保持構造部、および、熱交換器と導入口の間に配設された水受け部を含む筐体を有する外気調和機とを備える。
【００３８】
ここで、本発明の換気システムは、建物の外壁が換気口および導入経路を有することによって、外気を導入して室内の換気をすることができる。また、外壁に外気調和機を取り付けることができることによって、換気口および導入経路を通じて、未処理の外気そのものではなく、外気調和機により温調された調和空気として導入することができる。
【００３９】
加えて、本発明の換気システムは、外気調和機の熱交換器が空気調和機（以下「ルームエアコン」）の熱媒体回路に熱交換器を組み込まれていることによって、熱交換器が、ルームエアコンの運転と連動して供給される熱媒体を用いて、導入された外気との間で熱交換して加熱あるいは冷却し、熱交換後の空気をルームエアコンの運転目的（暖房または冷房）に応じた温度に温調することができる。
【００４０】
そして、このルームエアコンと熱交換器の連動によって、建物の室内（例えば、ルームエアコンの室内機が設置された室内は、供給される調和空気によって、ルームエアコンの目的温度との温度差が小さくなる。この結果、ルームエアコンの立ち上がり時間が短くて済むので、ルームエアコンの運転負荷を低減することができる。
【００４１】
更に、前述したように、熱交換器は、ルームエアコンの運転と連動するものであるため、それ自体は電力を使用しない構造であり、このような構造および前述のルームエアコンの立ち上がり時間の短縮によって、省エネルギーに貢献することができる。
【００４２】
更にまた、熱交換器が、小型軽量で熱交換効率の良いフィンチューブ式であるため、外気調和機の機体全体を小型軽量化することができる。この結果、設置状態で、壁面に加わる負荷を少なくすることができる。
【００４３】
そして、本発明の換気システムでは、外気調和機の筐体がベース部を有することによって、建物の壁面の換気口とベース部の導出口とが連通した状態で建物の壁面に沿うように取り付けることができる。また、導出口を有することにより、調和空気を外部へ導出することができる。
【００４４】
更に、筐体が正面壁部と周壁部を有することにより、これらの中に熱交換器等が囲まれる（格納される）ので、熱交換器等を外力による変形や汚れの付着から保護することができ、また、耐候性が向上し、製品寿命の延長化を図ることができる。そして、正面壁部と周壁部で機体の内外が区切られるので、調和空気が熱交換前の機外の空気と混じったり、調和空気が機外へ拡散したりしないようにすることができる。
【００４５】
更にまた、筐体は、周壁部に導入口を有することにより、導入口から外気を導入することができる。また、導入口が導出口から遠位となる位置に形成されているので、導入口から入った外気が、ほとんど熱交換されずに導出口から直接出ることを抑制することができる。
【００４６】
更にまた、外気調和機は、第１の断熱構造部および第２の断熱構造部を有することによって、外気の熱交換時における機外からの熱による影響を低減することができる。これにより、外気調和機が、夏期に当たる直射日光で正面壁部等の外表面が高温になったり、あるいは、冬期に当たる風雪等で正面壁部等の外表面が低温になったりしたとしても、これらの熱が機内（例えば、正面壁部等の内表面）に直接伝わらないか、または、伝わりにくいようにすることができる。これによって、調和空気が機外の環境に起因する熱の影響を受けることを抑制することができる。
【００４７】
そして、外気調和機は、熱交換器保持構造部を有することによって、熱交換器が正面壁部、ベース部および周壁部の各内面に接触しないように保持し、正面壁部等からの熱移動が熱交換器に直接及ばないか、または及びにくいようにすることができる。また、保持された熱交換器のフィンの長手方向と導入口から導出口に向かう方向とが略一致しているため、導入口から入った外気がフィンの長手方向に沿って流れ、導出口から出ることになる。この結果、外気とフィンが触れる時間が長くなって、熱交換効率を向上させることができる。
【００４８】
更に、外気調和機は、水受け部を有することによって、冷房運転時に熱交換器から生じる結露水を受けることができるようにしてある。例えば、導入口が下方を向く状態で外気調和機を設置することで、熱交換器の位置は導入口よりも上方向となり、熱交換器で生じて滴下する結露水は、導入口との間にある水受け部で受けることができる。これによって、結露水が導入口の下方へ直接滴下せず、結露水で外気調和機の下方が汚れることを抑制することができる。また、導入口が下方を向く状態で外気調和機を設置した場合、熱交換器のフィンの長手方向の延長上に水受け部があるので、フィンの表面に生じた結露はフィンに沿って滴下するので、効率よく結露水を集めることができる。
【００４９】
加えて、水受け部が熱交換器と導入口の間に位置しているので、例えば、強風を伴う雨天時に、導入口から外気と共に巻き込まれた雨水が水受け部に当たって弾かれ、熱交換器に直接付着しにくいようにすることができる。
【００５０】
また、建物の室内を空調する室内機、建物の外に設置される室外機、および室外機と室内機の接続配管である熱媒体回路を有し、外気調和機と連動するルームエアコンを備える場合は、外気調和機が稼動しているルームエアコンと連動するので、換気のために導入される調和空気が加温または冷却されたものであり、室内の空気の温度の上昇（暖房時）、あるいは、温度の下降（冷房時）を助けることができるので、より短い時間での室内における空気の調和が可能になる。この結果、ルームエアコンの立ち上がり時間を短縮することができるので、室内の空気調和を行うルームエアコンの運転負荷軽減の効果が更に高まり、ひいては省エネルギーに貢献することができる。
【発明の効果】
【００５１】
本発明の外気調和機によれば、従来の外気調和機と比較して、新築または既存のいずれの集合住宅等に対しても設置が容易であると共に、メンテナンス等の作業性が良く、室内に設置されたルームエアコンの運転負荷を低減して省エネルギーを実現することができる。また、本発明の換気システムによれば、従来の換気システムと比較して、新築または既設の一般住宅や集合住宅の換気システムとして設置が容易であると共に、メンテナンス等の作業性が良く、室内に設置されたルームエアコンの運転負荷を低減して省エネルギーを実現することができる。
【図面の簡単な説明】
【００５２】
【図１】本発明の外気調和機を正面側の斜め上方から示す斜視図である。
【図２】図１に示す外気調和機を正面側の斜め下方から示す斜視図である。
【図３】図１に示す外気調和機を背面側の斜め上方から示す斜視図である。
【図４】図１に示す外気調和機のカバー体を外した分解状態を示す斜視説明図である。
【図５】図４に示す外気調和機の部分断面図であり、（ａ）は基体側のＡ−Ａ断面図、（ｂ）はカバー体側のＢ−Ｂ断面図である。
【図６】図４に示す外気調和機の基体の各部を分解した状態を示す斜視説明図である。
【図７】図６に示す外気調和機の熱交換器と区画部を外した分解状態を示す斜視説明図である。
【図８】図１に示す外気調和機の設置例を示す斜視説明図である。
【図９】本発明の換気システムの空気の流動方向を矢印で示した概略図である。
【図１０】本発明の換気システムを設置した住宅の概略図である。
【図１１】カバー体の変形例である変形例１を示す斜視説明図である。
【図１２】ドレンパンの変形例を示しており、（ａ）は変形例２の断面図、（ｂ）は変形例３の断面図、（ｃ）は変形例４の断面図である。
【図１３】カバー体の変形例である変形例５を示し、一部拡大した断面説明図である。
【図１４】基体の変形例である変形例６を背面方向から示す斜視図である。
【図１５】特許文献１記載の空調設備の概略図である。
【発明を実施するための形態】
【００５３】
図１ないし図１０を参照して、本発明の実施の形態を更に詳細に説明する。なお、各図における符号は、煩雑さを軽減し理解を容易にする範囲内で付している。最初に、図１ないし図１０を参照して、外気調和機１と、これを用いた換気システムＶについて説明し、その後に、図１１ないし図１４を参照して、外気調和機１の各部の変形例（変形例１−６）について説明する。
【００５４】
〔外気調和機１〕
外気調和機１は、フィンチューブ式の熱交換器２と、熱交換器２を内部に格納し、建物の壁面Ｗに沿って取り付けられる筐体３を備える。外気調和機１は、図８−１０に示すように、建物の壁面Ｗに形成された換気口Ｗ１に、後述する導出口３１４を合わせるようにして壁面Ｗに設置されるものである。以下、外気調和機１の各部について説明する。
【００５５】
＜熱交換器２＞
熱交換器２は、筐体３内に導入された外気Ａ１との間で熱交換可能なものであり、直線部分と折り返し部分が交互に連続する蛇行形状である伝熱管２１と、伝熱管２１の径方向に交差した複数のフィン２２からなる、いわゆるフィンチューブ式である。なお、熱交換器２は、伝熱管２１の直線部分各段の軸方向と、設置後の外気調和機１の鉛直方向とが直交するように設けられており、これによって冷媒に含まれる潤滑油成分が折り返し部分に溜まることを抑制することができる。
【００５６】
熱交換器２は、伝熱管２１と接続した第一の出入管２３と第二の出入管２４を有しており、第一の出入管２３の先端にはジョイント部２３１が、第二の出入管２４の先端にはジョイント部２４１が、それぞれ設けられている。各ジョイント部２３４、２４１は、ルームエアコン８に繋がる冷媒配管８３と接続および取り外しが可能なものである。第一の出入管２３とそのジョイント部２３１、第二の出入管２４とそのジョイント部２４１は、筐体３の同一側面に配置され、接続される冷媒配管８３の取り回しがしやすいようになっている。
【００５７】
熱交換器２は、冷媒配管８３を介して後述する屋外に設置されたルームエアコン８の室外機８１から供給される冷媒を流通させて、外気Ａ１との間で熱交換を行う構造である。この冷媒の供給は、ルームエアコン８の運転開始に伴って開始され、ルームエアコン８の運転停止によって停止する。即ち、熱交換器２は、その稼動がルームエアコン８の運転に依存（利用）しており、ルームエアコン８用とは別の電力や動力を必要としない構造である。
【００５８】
また、外気調和機１と室外機８１は共に屋外に設置されるものであり、図９に示すように、一般的な集合住宅では、換気口と室外機８１は近くにある場合が多い。そして、外気調和機１は、換気口Ｗ１と導出口３１４を合わせるようにして壁面Ｗに設置するものであり、つまりは屋外において室外機８１と近接しているため、冷媒配管８３の長さが短くて済むと共に、取り回し経路を考慮した配管工事が不要であるため、設置の際の手間も少なくて済む。加えて、熱交換器２は、導出口３１４を覆うことができる大きさに設けられ、かつ、後述する熱交換器保持構造部３２および区画部２５によって、導出口３１４と所定の間隔を空け、かつ、機体の正面からみて導出口３１４を覆う態様で保持されている。
【００５９】
熱交換器２と後述するベース部３１の間には、区画部２５が設けられている。区画部２５は、方形の四方枠であり、断面視Ｃ型のチャンネル材の開口部分を枠内方向へ向けた態様で形成されている。また、区画部２５は、枠の内側の開口部分の内形（口縁部分）が熱交換器２の外形と略同じに設定されており、この開口部分を塞ぐようにして熱交換器２が着脱可能に取り付けられている。そして、区画部２５は、枠内の領域に後述する導出口３１４が位置するように取り付けられ、枠の内外を区画しており、ベース部３１と取り付けた熱交換器２との間に、所定広さの空間を形成している。
【００６０】
なお、区画部２５は、取着時において後述する水受け部３３の方向となる部分に、水抜き孔２５２が形成されており、熱交換器２から区画部２５内へ滴下した結露水を、水受け部３３へ排出できるようにしてある。また、区画部２５は、取着時に左右となる面に側にネジ孔（図示省略）が形成され、このネジ孔に係止ネジ２５１が螺着されている。
【００６１】
このネジ孔および係止ネジ２５１は、後述する熱交換器保持構造部３２の係止用切欠３２１と対応する位置および数が設けられており、係止ネジ２５１を係止用切欠３２１に掛止することで、熱交換器保持構造部３２に区画部２５（および取り付けられた熱交換器２）を着脱可能に取り付けることができる。
【００６２】
＜筐体３＞
筐体３は、主に金属材により形成されており、建物の壁面Ｗに沿って設置した際に機体の背面側となる基体３０と、機体の前面側となるカバー体３５からなり、基体３０とカバー体３５は分割可能な構造で、基体３０に対しカバー体３５を着脱できるように構成されている。基体３０とカバー体３５との着脱構造は、基体３０とカバー体３５の相互で対応する位置にネジ孔（図示省略）を設け、対応する位置のネジ孔を各々連通させてネジ（符号省略）を挿着して行うものである。以下、筐体３の各部について説明する。
【００６３】
＜基体３０＞
基体３０は、ベース部３１、接続管部３１４、熱交換器保持構造部３２、および水受け部３３を有している。
【００６４】
ベース部３１は、建物の壁面Ｗに沿う形状である矩形板状の基板部３１１と、基板部３１１の外縁から正面方向（換言すると、取り付けられるカバー体３５の方向）に立ち上がった周壁部３１２とが一体に形成されている。そして、ベース部３１は、この周壁部３１２の内側に、後述するカバー体３５の周壁３７がちょうど嵌まる大きさに設けられている。ベース部３１は、その上縁近傍に、調和空気Ａ２を導出する導出口３１３が形成されている。導出口３１３は、建物の壁面Ｗに設けられた換気口Ｗ１と対応するサイズで開口している。
【００６５】
基板部３１１は、建物の壁面Ｗへの設置に使用するボルト、ネジ、釘、ピンまたはアンカーボルト等の取り付け部材（以下「ネジ等」という）を挿通可能な挿通孔３１５が複数形成されている。具体的には、導出口３１３の周辺と、ベース部３１に熱交換器２を取り付けた際に、熱交換器２で隠れない部分に適宜設けられている。
【００６６】
接続管部３１４は、ベース部３１の背面側（機体の外面）に、導出口３１３の口縁に沿って形成された筒状の部材である。接続管部３１４は、取り付け対象となる換気口Ｗ１に嵌入することができるサイズであり、その外径と換気口Ｗ１の内径が略同じに設定されていることが好ましい。
【００６７】
熱交換器保持構造部３２は、熱交換器２のフィンの長手方向と導入口３８から導出口３１３に向かう方向とが略一致する態様で熱交換器２を取り付けられる構造である。なお、前述の通り、外気調和機１は導入口３８が下方を向くように設置されるので、熱交換器保持構造部３２は、機体の設置状態において、熱交換器２のフィンの長手方向が機体の垂直方向と略一致する態様で熱交換器２を保持することとなる。
【００６８】
熱交換器保持構造部３２は、ベース部３１からカバー体３５の方向へ立ち上がった一対の板体であり、各々がベース部３１の左右両側方の外縁に沿うと共に、各外縁から所定間隔を空けた位置に設けられている。また、各板体には、長手方向に所定の間隔で係止用切欠３２１が設けられており、各係止用切欠３２１は、板体の先端（換言すると機体の正面側）から機体下方となる側に向けて下る鈎状の形状である。
【００６９】
熱交換器保持構造部３２は、前述の構成であることにより、前述の区画部２５の係止ネジ２５１の首部分を引っかけるようにして、区画部２５とそれに取り付けられた熱交換器２を係止することができる。この係止態様においては、熱交換器２を含む区画部２５を機体の幅方向から保持すると共に、正面壁部３６、ベース部３１および周壁部３７の各内面と熱交換器２との間に所定間隔が空くように保持することができる。
【００７０】
水受け部３３は、熱交換器２と導入口３８の間に配設されており、水受け支持部３３１、ドレンパン３３６、排水経路３４、および、ドレンパン用断熱材３４２を有する構造である。
【００７１】
水受け支持部３３１は、ベース部３１から機体正面側へ立ち上がっており、ドレンパン３３６の長手方向の長さよりも僅かに長い距離を空けて、機体左右方向に対向して設けられている。そして、水受け支持部３３１は、ベース部３１の左右外縁に沿う向きに所定間隔を空けて分離して設けられた側部３３２と、側部３３２に接続された底部３３３および上部３３４を有する。また、底部３３３は、機体前方向および機体後方向に、立ち上がり部分３３５が形成されている。水受け支持部３３１は、前述の構成を有することによって、ドレンパン３３６を着脱可能に支持でき、取着時においてドレンパン３３６が外れにくいように支持することができる形状となっている。
【００７２】
ドレンパン３３６は、底面３３７と底面３３７から立ち上がった四方の側面３３８を有し、上方（換言すると、熱交換器２に向く側）が開口した開口部３３９を有する形状である。なお、ドレンパン３３６は、開口部３３９が対向する熱交換器２の端面（下面）２６０よりもやや広く設けられている。そして、ドレンパン３３６は、側面３３８が底方向に向かうにつれて幅が徐々に窄まっている。
【００７３】
排水経路３４は、一端側がドレンパン３３６の内底面に形成された水抜き孔３４１と連通し、他端側が機外に導出された管体であり、ドレンパン３３６内へ滴下した結露水等の内部の溜まり水を機外に排水することができるように構成されている。なお、排水経路３４は、その先部の態様は特に限定するものではなく、例えば、エアコンのドレン配管と接続してもよいし、雨水や雑排水系統と接続してもよい。また、外気調和機１の下方が地面であれば、単に屋外に開放する態様であってもよい。
【００７４】
ドレンパン用断熱材３４２は、シート状の断熱材であり、ドレンパン３３６外面に貼設されている。
【００７５】
＜カバー体３５＞
カバー体３５は、基体３０との取着状態においてベース部３１と対向する位置に設けられる正面壁部３６と、正面壁部３６の外縁部分からベース部３１の方向へ向かって延設された三方の周壁部３７を有し、周壁部３７が形成されていない一方の部分が外気Ａ１の導入口３８を構成し、この導入口３８を覆うようにフィルタ部材３８１が取り付けられている。
【００７６】
周壁部３７は、壁面Ｗへの設置状態で、上面となる周壁上面部３７１、右側面となる周壁右面部３７２、左側面となる周壁左面部３７３、が含まれる（つまり、開口した下面部が導入口３８となる）態様である。なお、壁面Ｗへの設置状態で、前述の導出口３１３は、周壁上面部３７１側に位置し、導入口３８はカバー体３５の下方となる。つまり、導入口３８は、「導出口３１３から遠位となる位置」に形成されている。
【００７７】
カバー体３５は、正面壁部３６と三方の周壁部３７が一体になった構造である。そして、カバー体３５は、機体の外面となる外面板３５１、機体の内面となる内面板３５２、および、内面板３５２と外面板３５１の間に配設された断熱材３５３（前述の第１の断熱構造部および第２の断熱構造部に相当）からなる構造である。
【００７８】
内面板３５２と外面板３５１は、その間に空隙が生じるように所定間隔を空けて配置されており、シート状の断熱材３５３は、内面板３５２に接着剤で貼り付けてある。この空隙内において、断熱材３５３の接着剤と反対側の面（説明の便宜上「表面」という）と、外面板３５１との間には、所定間隔の隙間である断熱領域３５４が形成されている。
【００７９】
カバー体３５は、正面壁部３６がベース部３１と反対方向（換言すると、「機体の正面方向」）に膨出する形状に設けられている。そして、正面壁部３６は、機体の長手方向に沿った２箇所の曲げ部分を有し、ベース部３１と略平行な正面部分と、正面部分の長縁部分を構成する前述の曲げ部分の各々と左右の両側の周壁部３７との間の部分が、ベース部３１方向へ下り傾斜する傾斜部分と、の三面からなっている。
【００８０】
外面板３５１の少なくとも機外側の面には、撥水可能な形状で形成されるか、あるいは、撥水塗料でコートされた加工が施されている。そして、内面板３５２は、少なくとも機内側を向いた面が熱反射可能な加工が施されている。
【００８１】
〔換気システムＶ〕
換気システムＶは、建物の室内換気システムであり、建物の壁面Ｗと、前述の外気調和機１と、ルームエアコン８を備える。以下、図９−１１を主に参照して換気システムＶについて説明するが、外気調和機１に関する説明は前述しているため省略する。
【００８２】
＜建物の外壁＞
建物の壁面Ｗは、室外機８１が配置された箇所に面した外壁であり、壁面Ｗの上方に換気口Ｗ１が形成されている。この換気口Ｗ１と連通して、室外から室内に貫通した導入経路Ｗ２が形成されている。換気口Ｗ１には、外気調和機１の接続管部３１４が接続され、外気調和機１により加熱または冷却された調和空気Ａ２は、換気口Ｗ１と導入経路Ｗ２を介して室内へ導入される。
【００８３】
＜ルームエアコン８＞
ルームエアコン８は、建物の室内の上方に設置された室内機８２と、屋外に設置された室外機８１を有し、室内機８２と室外機８１は冷媒配管８３により接続されている。室内機８２および室外機８１は、その内部で冷媒配管８３が分岐され、分岐された冷媒配管８３を介して、外気調和機１の熱交換器２で流通する冷媒を供給可能としている。なお、冷媒の供給は、図１０に示すように室内機８２、室外機８１および外気調和機１を直列に接続する態様で行われている。直列に接続した態様によれば、構造が簡単であるため、施工が容易である。
【００８４】
本実施形態における基体とカバー体との着脱構造は、前述の通り基体３１とカバー体３５に設けたネジ孔にネジを挿着するものであるが、これに限定するものではなく、例えば、ネジに代えて固定ピンを使用してもよいし、鈎状部分と切欠部分を設けて掛止する掛止構造等であってもよい。
【００８５】
本実施形態における筐体３は、正面壁部がベース部と反対方向に膨出する形状に設けられているが、これに限定するものではなく、例えば、平板状の正面壁部であってもよく、この場合、正面壁部に加わる外力に対抗可能な構造（補強リブ等）で補強することが好ましい。また、本実施形態における筐体は、主に金属材により形成されているが、これに限定するものではなく、例えば、耐熱性、耐水性及び耐候性を有する合成樹脂等を構成材の一部または全部として採用してもよい。
【００８６】
本実施形態における筐体３の導入口は、フィルタ部材が取り付けられているが、これに限定するものではなく、例えば、導出口あるいは換気口の室内側部分にも、フィルタ部材を取り付けてもよい。また、例えば、換気口の室内側部分に、花粉、ＰＭ２．５等を捕集可能なフィルタ部材を配置すると、室内側から小まめにメンテナンスができる。
【００８７】
本実施形態における区画部２５は、熱交換器およびベース部のいずれとも分離可能に形成されているが、これに限定するものではなく、例えば、熱交換器およびベース部のいずれかと一体に形成されていてもよい。また、本実施形態における区画部２５の内部は空洞であるが、これに限定するものではなく、例えば、蓄熱部材を内蔵させてもよい。ルームエアコン８は、室温が設定温度に達した場合、冷凍サイクルが停止し、外気調和機１にも冷媒が供給されなくなる（循環しなくなる）が、蓄熱部材を内蔵しておけば、余熱で引き続き挿入される外気を温調することができるからである。
【００８８】
本実施形態における筐体３は、基体にベース部、熱交換器保持構造部および水受け部が配置されているが、これに限定するものではなく、例えば、カバー体に熱交換器保持構造部または水受け部のいずれかが配置された態様であってもよいし、カバー体に熱交換器保持構造部および水受け部が配置された態様を除外するものでもない。
【００８９】
本実施形態における「建物の外壁」の語は、屋内と屋外を区切る壁のほか、建物の中（屋内）であっても室外機が設置されている環境においては、室内機が設置された室内と室外を区切る壁を含む意味で使用している。
【００９０】
本実施形態におけるカバー体３５は、前述の構造であるが、これに限定するものではなく、例えば、断熱領域を有しない態様を除外するものではなく、機体の外面および内面に要求される性能（耐候性、防カビ性等）を有し、断熱性を備える素材であれば、単一の材料で形成されたものであってもよい。つまり、カバー体３５は、外面板、内面板および断熱材からなる構造のみならず、例えば、熱反射性および断熱性を有する一枚板からなる態様等も含まれる。また、カバー体に配設された断熱材は、その種類および素材を限定するものではなく、断熱性に加えて、少なくとも、防塵性、防カビ性、抗菌性、耐水性、あるいは対薬品性のいずれかを有することが好ましい。
【００９１】
本実施形態における基体３０とカバー体３５の取り付け部分は、ベース部３１の周壁部３１２の内側に、カバー体３５の周壁部３７を入れ込む（換言すると、ベース部３１の周壁部３１２の内側に、カバー体３５の周壁部３７が内嵌めされる）態様で取り付けられているが、これに限定するものではなく、例えば、カバー体の周壁部の内側に、ベース部の周壁部が入り込む（換言すると、ベース部の周壁部にカバー体が外嵌めされる）態様で取り付けてもよい。
【００９２】
本実施形態における熱交換器２は、伝熱管２１が銅管で、各フィン２２はアルミ合金であるが、これに限定するものではなく、例えば、ステンレス、チタン等の金属、樹脂、ＦＲＰプラスティック等の公知素材またはこれらの組み合わせであってもよい。
【００９３】
本実施形態における水受け部３３は、ドレンパン用断熱材がドレンパン外面に配設された構造であるが、これに限定するものではなく、例えば、ドレンパン自体が断熱性を有する素材で形成されたものであってもよい。
【００９４】
（作  用）
図１〜１１を参照して、外気調和機１と換気システムＶの作用について説明する。なお、以下では、運転時とメンテナンス時を分けて説明する。
【００９５】
＜運転時＞
図１０−１１に示すように、建物の室内は、排気口に設置された排気ファンＷ３により室内が負圧になっており、外気Ａ１は、導入口３８を通じて外気調和機１内に導入される。
【００９６】
図１１に示すように、外気調和機１内に導入された外気Ａ１は、ドレンパン３３６の底部に当たって流動方向が変わり、熱交換器２がある方向へ向かう。このとき、熱交換器２、区画部２５およびベース部３１が前述の構成で設けられているため、導入された外気Ａ１が熱交換器２を通らずにそのまま導出口３１３に至ることはなく、即ち、導入された外気Ａ２は、ほぼ全量が熱交換器２を通過し、熱交換される。
【００９７】
そして、導入された外気Ａ１は、フィン２２の長手方向に沿って流れるため、外気Ａ２とフィン２２が触れる時間が長くなって、熱交換効率が向上している。また、熱交換器２を通過して調和された調和空気Ａ２は、熱交換器２の幅の範囲に導出口３１３が重なるように配置されているため、調和空気Ａ２が導出口３１３の方向へ円滑に流れる。加えて、熱交換器２を通過して調和された調和空気Ａ２は、区画部２５によって、筐体３内に拡散せずにほぼ全量が導出口３１３を通過し、換気口Ｗ１から導入経路Ｗ２を経て、室内に供給される。
【００９８】
この結果、筐体３内での熱損失量が低下し、室内に供給される調和空気Ａ２の量が増えるため、室内温度とルームエアコンの設定温度の差を小さくなる時間が短縮され、つまりは室内が設定温度に至る迄の時間（ルームエアコン８の稼動時間）も短縮することができるので、室内の空気調和を行うルームエアコン８の運転負荷軽減の効果を更に高めることができる。
【００９９】
また、熱交換器２は、熱交換器２による熱交換が機外に設置されたルームエアコン８から供給される冷媒を利用するものであるため、熱交換器２による熱交換はルームエアコン８の運転と連動する。つまり、熱交換器２は、ルームエアコン８の運転に依存（利用）しており、ルームエアコン用とは別の電力や動力を必要としない。
【０１００】
ところで、外気調和機１は、屋外に設置されているため、荒天の際には、強風で巻き込むようにして導入口３８から雨雪が進入することがある。また、導入口３８から何かに反射した日射光（紫外線）が入射することもある。しかしながら、このような場合であっても、外気調和機１は、熱交換器２と導入口３８の間に水受け部３３（ドレンパン３３６）が配置されているので、これによって、熱交換器２に紫外線や雨雪が当たらないように遮る、即ち、防風や遮光機能を発揮し、熱交換器の劣化を防止することができる。加えて、導入口３８からは、風の音や騒音等の外部の音が入ってくるが、前述の場合と同様、水受け部３３（ドレンパン３３６）が音を反射し、あるいは、ドレンパン３３６外面に貼設されたドレンパン用断熱材３４２が、音を吸収することで、室内へ外部の音が入ることを抑制している。
【０１０１】
＜メンテナンス時＞
外気調和機１は、建物の壁面Ｗに設置されているので、カバー体３５を取り外せばメンテナンス等の作業が開始でき、主要部品がベース部３１に配置されているため、簡単な清掃程度なら、建物の壁面Ｗからベース部３１を取り外さなくても済む。つまり、前述した従来の外気調和機９１と比較して、メンテナンス等における作業性が向上している。
【０１０２】
外気調和機１および換気システムＶによれば、従来の換気システムと比較して、新築または既設の一般住宅や集合住宅の換気システムとして容易に設置できると共に、メンテナンス等の作業性が良く、室内に設置されたルームエアコンの運転負荷を低減して省エネルギーを実現することができる。
【０１０３】
〔変形例１〕
図１２に示す外気調和機１ａは、外気調和機１の変形例である。外気調和機１ａは、後述する正面壁部３６ａ以外は外気調和機１と同様であるため、共通部分には同じ符号を付してその構造の説明を省略し、共通する作用効果の説明についても省略する。
【０１０４】
外気調和機１ａは、正面壁部３６ａがベース部３１と反対方向（換言すると、「機体の正面方向」）に向かって膨出すると共に、機体の幅方向に湾曲した曲面形状に設けられている。外気調和機１ａによれば、外気調和機１よりも更に風雨等を逸らしやすい形状になっており、正面壁部に加わる負荷を軽減することができる。
【０１０５】
〔変形例２〕
図１３（ａ）は、ドレンパン３３６ａは、ドレンパン３３６の変形例である。ドレンパン３３６ａは、後述する箇所以外はドレンパン３３６と同様であるため、共通部分には同じ符号を付してその構造の説明を省略し、共通する作用効果の説明についても省略する。
【０１０６】
ドレンパン３３６ａは、底面と長手方向（図１３（ａ）において左右側）の側面が一体となった断面視半円形（換言すると、長尺な半割円管状）であると共に、内底に相当する最も低い部分に、排水経路３４と連通する水抜き孔３４１が形成されている。
【０１０７】
ドレンパン３３６ａによれば、平坦な形状の底面部を有していないため、外気の分流時における円滑な気流の阻害（乱流の発生）がほとんど起きず、外気の効率的な分流と、導入口から熱交換器に至る外気の円滑な流れを更に向上することができる。そして、ドレンパン３３６ａは内底面が平坦な形状ではなく、最も低い部分に水抜き孔３４１が形成されているため、ドレンパン３３６ａ内の溜まり水が更に効率良く排出される。
【０１０８】
〔変形例３〕
図１３（ｂ）は、ドレンパン３３６ｂは、ドレンパン３３６の変形例である。ドレンパン３３６ｂは、後述する箇所以外はドレンパン３３６と同様であるため、共通部分には同じ符号を付してその構造の説明を省略し、共通する作用効果の説明についても省略する。
【０１０９】
ドレンパン３３６ｂは、底面と長手方向（図１３（ｂ）において左右側）の側面が一体となった断面視Ｖ字状であると共に、内底に相当する最も低い部分に、排水経路３４と連通する水抜き孔３４１が形成されている。ドレンパン３３６ｂによれば、前述のドレンパン３３６ａと同様、平坦な形状の底面部を有していないため、外気の効率的な分流と、導入口から熱交換器に至る外気の円滑な流れを更に向上することができ、そして、ドレンパン３３６ｂ内の溜まり水が更に効率良く排出される。
【０１１０】
〔変形例４〕
図１３（ｃ）は、ドレンパン３３６ｃは、ドレンパン３３６の変形例である。ドレンパン３３６ｃは、後述する箇所以外はドレンパン３３６と同様であるため、共通部分には同じ符号を付してその構造の説明を省略し、共通する作用効果の説明についても省略する。
【０１１１】
ドレンパン３３６ｃは、ドレンパン３３６とほぼ同一形状であるが、機体正面側に配置される方向（図１３（ｃ）において左側）の側面が、機体正面側に傾斜している点で異なっている。外気調和機１の構成によれば、区画部２５を有するため、ドレンパンの底面に当たって分流され、ドレンパンの機体背面方向（図１３（ｃ）において右側）に回り込んだ外気は、区画部を迂回するようにして熱交換器２に至る。一方、ドレンパン３３６ｃによれば、機体正面側の側面のみ傾斜し、機体背面側の側面は基板部と隙間を空けずに沿うように構成されているので、ドレンパン３３６ｃの底面３３７に当たった外気は機体正面側に流れ、導入口から熱交換器に至る外気の円滑な流れを更に向上することができる。
【０１１２】
〔変形例５〕
図１４は、カバー体３５ｂは、カバー体３５の変形例である。本変形例の説明では、カバー体３５ｂとカバー体３５の共通部分には同じ符号を付してその構造の説明を省略し、共通する作用効果の説明についても省略する。
【０１１３】
カバー体３５ｂは、機体の外面となる外面板３５１、機体の内面となる断熱材３５３ｂからなる（つまり、前述のカバー体３５にある内面板、断熱領域を有していない）構造である。断熱材３５３ｂは、片面側に、防錆性を有するアルミ箔による熱反射面３５５を有するシート状であり、熱反射面３５５が機体の内側に向くように、外面板３５１の機内側へ接着剤で貼り付けてある。
【０１１４】
カバー体３５ｂによれば、断熱材３５３ｂは、前述の熱反射面３５５を有することで、筐体に断熱性能を持たせるとともに、機内に生じる結露の付着等による劣化、および、表面へのカビの発生を抑制することができる。加えて、カバー体３５ｂは、外面板３５１に断熱材３５３ｂを貼り付けただけの簡易かつ軽量な構造であるため、外気調和機１の更なる小型軽量化、および、製造コストの低減化を図ることができる。
【０１１５】
〔変形例６〕
図１２に示す基体３０ａは、基体３０の変形例である。基体３０ａは、後述する導出口３１３ａ以外は外気調和機１と同様であるため、共通部分には同じ符号を付してその構造の説明を省略し、共通する作用効果の説明についても省略する。
【０１１６】
基体３０ａは、機体の背面側において導出口３１３ａと連通する接続管部を有していない点において、基体３０と異なっている。基体３０ａによれば、接続管部を換気口に嵌着させることによる施工作業の効率を向上、取り付けた壁面に加わる負荷の軽減といった作用効果は奏しないが、接続管部の外径が換気口の内径よりも大きい場合であっても、壁面への加工あるいは外気調和機の交換を行うことなく、そのまま設置作業を行うことができるので、利便性が良い。
【０１１７】
本明細書および本特許請求の範囲で使用している用語と表現は、あくまでも説明上のものであって、なんら限定的なものではなく、本明細書および本特許請求の範囲に記述された特徴およびその一部と等価の用語や表現を除外する意図はない。また、本発明の技術思想の範囲内で、種々の変形態様が可能であるということは言うまでもない。更にまた、第１、第２などの言葉は、等級や重要度を意味するものではなく、一つの要素を他の要素から区別するために使用したものである。
【符号の説明】
【０１１８】
１、１ａ    外気調和機
２    熱交換器
２１    伝熱管
２２    フィン
２３    第一の出入管
２３１    ジョイント部
２４    第二の出入管
２４１    ジョイント部
２５    区画部
２５１    係止ネジ
２５２    水抜き孔
２６０    熱交換器の端面（下面）
３、３ａ    筐体
３０、３０ａ    基体
３１    ベース部
３１１    基板部
３１２    周壁部
３１３、３１３ａ    導出口
３１４    接続管部
３１５    挿通孔
３２    熱交換器保持構造部
３２１    係止用切欠
３３    水受け部
３３１    水受け支持部
３３２    側部
３３３    底部
３３４    上部
３３５    立ち上がり部分
３３６、３３６ａ、３３６ｂ、３３６ｃ    ドレンパン
３３７    底面
３３８、３３８ｃ    側面
３３９    開口部
３４    排水経路
３４１    水抜き孔
３４２    ドレンパン用断熱材
３５、３５ａ、３５ｂ    カバー体
３５１    外面板
３５２    内面板
３５３、３５３ｂ    断熱材
３５４    断熱領域
３５５    熱反射面
３６、３６ａ    正面壁部
３７    周壁部
３７１    周壁上面部
３７２    周壁右面部
３７３    周壁左面部
３８    導入口
３８１    フィルタ部材
Ｗ    建物の壁面
Ｗ１    換気口
Ｗ２    導入経路
Ｗ３    排気ファン
８    ルームエアコン
８１    室外機
８２    室内機
８３    冷媒配管
Ａ１    外気
Ａ２    調和空気
Ｖ    換気システム
９    空調設備
ＯＡ    外気
９１    外気調和機
９１１    冷却コイル９１１
９１２    加熱コイル９１２
９１３    加湿器９１３
９１４    送風機９１４
９２    還気取り入れ口
９３    顕熱交換器
ＲＡ    室内へ供給された空気
ＳＡ    熱交換後の空気
Ｒ    室内
【図１】
2019190676.tif 000003
【図２】
2019190676.tif 000004
【図３】
2019190676.tif 000005
【図４】
2019190676.tif 000006
【図５】
2019190676.tif 000007
【図６】
2019190676.tif 000008
【図７】
2019190676.tif 000009
【図８】
2019190676.tif 000010
【図９】
2019190676.tif 000011
【図１０】
2019190676.tif 000012
【図１１】
2019190676.tif 000013
【図１２】
2019190676.tif 000014
【図１３】
2019190676.tif 000015
【図１４】
2019190676.tif 000016
【図１５】
2019190676.tif 000017